(57)【特許請求の範囲】
【請求項１】
一または複数の照明負荷を単位として調光制御を行う調光制御回路が複数設けられた調光装置と；
調光装置と接続され、操作部における操作に応じて前記照明負荷に関する調光信号を調光装置へ送信する調光操作装置と；
調光制御回路毎における調光制御のディレイ情報を保持するディレイ情報保持部と；
ディレイ情報保持部に保持させるディレイ情報を、調光制御回路毎にその照明負荷の特性に応じて個別に入力可能なディレイ情報入力部と；
ディレイ情報保持部に保持されたディレイ情報に基づき出力制御を行う出力制御部と；
を具備することを特徴とする調光制御システム。
【請求項２】
ディレイ情報保持部は、調光装置と調光操作装置とのいずれか一方に設けられていることを特徴とする請求項１に記載の調光制御システム。
【請求項３】
複数の調光操作装置から送られる調光信号を中継する中継装置を有し、この中継装置は、調光操作装置毎にディレイ情報を保持するディレイ情報保持部と、ディレイ情報保持部に保持させるディレイ情報を入力するためのディレイ情報入力部と、ディレイ情報保持部に保持されたディレイ情報に基づき調光装置へ送信する信号の中継の際にディレイを生じさせて調光信号を中継して出力する出力制御部とを具備することを特徴とする請求項１または２に記載の調光制御システム。
【発明の詳細な説明】
【技術分野】
【０００１】
この発明は、劇場やスタジオなどの照明を制御する調光制御システムに関するものである。
【背景技術】
【０００２】
従来、照明装置を調光制御する場合にはＤＭＸ５１２と称される制御信号が使用されており、調光装置がＤＭＸ５１２の制御信号を受けて複数の照明装置に対し調光制御を行う調光制御システム知られている（特許文献１参照）。
【０００３】
このような調光制御システムにおいては、調光操作卓等の調光操作装置を複数用いて制御信号を調光装置へ与えることがあり、一部の制御信号についてはミキサを介して制御信号の合成を行い、調光装置へ送信している。
【０００４】
ミキサを用いたシステムにあっては、調光操作装置から直接に調光装置へ到達する制御信号と、ミキサを介して到達する制御信号とがあり、調光操作装置側において同時操作に基づき送信されたにも拘わらず、到達時間がずれてしまい、意図する照明制御を行うことができない問題がある。また、ミキサを用いない場合にあっても、ランプの特性によって点灯制御開始から所望のレベルにて点灯がなされるまでの時間にばらつきがあり、意図する照明制御を行うことができないこともある。
【０００５】
上記の問題を解決するために、従来においては、制御可能なチャネル単位にディレイを考慮し、いわゆる仕込みを用いて調光レベルや時間の設定を行って記憶しておき、これをキューやエフェクトなどにより自動再生することにより対応していた。
【０００６】
しかしながら、仕込みによるディレイの設定は多くの時間が必要である上に、制御可能なチャネルを単位とすることから調光制御の制御回路単位で設定が不可能であり、細かい制御ができないものであった。また、仕込みを用いずに、複数台の調光操作装置において「キュー」の合図に応じて一斉にフェーダを操作するような場合には、ディレイによる制御がなされず、所望の照明制御ができない問題点があった。
【特許文献１】特開２００２−２８９３６５号公報
【発明の開示】
【発明が解決しようとする課題】
【０００７】
本発明の目的は、仕込みによらずともディレイを設定することができ、しかも、より細かい制御単位にてディレイを設定可能な調光制御システムを提供することである。
【課題を解決するための手段】
【０００８】
本発明に係る調光制御システムは、一または複数の照明負荷を単位として調光制御を行う調光制御回路が複数設けられた調光装置と；調光装置と接続され、操作部における操作に応じて前記照明負荷に関する調光信号を調光装置へ送信する調光操作装置と；調光制御回路毎における調光制御のディレイ情報を保持するディレイ情報保持部と；ディレイ情報保持部に保持させるディレイ情報を、調光制御回路毎にその照明負荷の特性に応じて個別に入力可能なディレイ情報入力部と；ディレイ情報保持部に保持されたディレイ情報に基づき出力制御を行う出力制御部と；を具備することを特徴とする。
【０００９】
調光制御回路は、調光信号に基づき照明負荷に供給する電力制御などにより調光を実際に制御する回路である。調光装置としては、集中調光を行う調光制御盤、可搬型の調光器等の各種の装置を含む。調光操作装置は、大型の調光操作卓や可搬型の調光操作卓を含む。調光信号としては、ＤＭＸ信号、イーサネット（登録商標）を使用する信号などを許容する。
【００１０】
ディレイ情報保持部、ディレイ情報入力部及び出力制御部は、調光装置や調光操作装置に内蔵されていても良いし、パーソナルコンピュータにより構成しても良い。出力制御部はディレイさせた調光信号を出力するか、照明負荷に対する調光制御した電力を遅延させて出力する。しかして、本発明によれば、調光制御回路単位でディスプレイ制御を設定することができるので、複雑で肌理の細かな制御を容易に実施することが可能となる。
【００１１】
本発明に係る調光制御システムでは、ディレイ情報保持部が、調光装置と調光操作装置とのいずれか一方に設けられていることを特徴とする。
【００１２】
本発明に係る調光制御システムは、複数の調光操作装置から送られる調光信号を中継する中継装置を有し、この中継装置は、調光操作装置毎にディレイ情報を保持するディレイ情報保持部と、ディレイ情報保持部に保持させるディレイ情報を入力するためのディレイ情報入力部と、ディレイ情報保持部に保持されたディレイ情報に基づき調光装置へ送信する信号の中継の際にディレイを生じさせて調光信号を中継して出力する出力制御部とを具備することを特徴とする。
【００１３】
中継とは、単なる通過の場合ではなく、ミキサやデータ変換などの遅延を伴う処理を意味する。従って、中継装置としては、ＤＭＸミキサ、ＤＭＸノードなどを許容する。
【発明の効果】
【００１４】
本発明に係る調光制御システムは、調光制御回路毎における調光制御のディレイ情報を保持するディレイ情報保持部と、ディレイ情報保持部に保持させるディレイ情報を、調光制御回路毎にその照明負荷の特性に応じて個別に入力可能なディレイ情報入力部と、ディレイ情報保持部に保持されたディレイ情報に基づき出力制御を行う出力制御部と、が備えられているので、必要に応じて調光制御回路毎にディレイ情報を設定してきめ細かく出力制御でき、照明負荷の特性を原因とする調光制御タイミングのずれを吸収して精度の高い照明制御を行うことが可能となる効果がある。
【００１５】
本発明に係る調光制御システムでは、ディレイ情報保持部は、調光装置と調光操作装置とのいずれか一方に設けられているので、調光装置と調光操作装置の一方においてディレイ情報を保持させて、このディレイ情報に基づき出力制御を行うことにより調光制御タイミングのずれを吸収して精度の高い照明制御を行うことが可能となる効果がある。
【００１６】
本発明に係る調光制御システムでは、中継装置が、複数の調光操作装置から送られる調光信号について、調光装置へ送信する信号の中継の際にディレイを生じさせて調光信号を出力するので、調光信号が中継される場合に調光操作装置の特性から生じるディレイによる調光制御タイミングのずれを吸収して精度の高い照明制御を行うことが可能となる効果がある。
【発明を実施するための最良の形態】
【００１７】
以下、添付図面を参照して本発明の調光制御システムの実施例を説明する。各図において、同一の構成要素には同一の符号を付して重複する説明を省略する。図１に、第１の実施例に係る調光制御システムの構成図を示す。このシステムは、調光操作卓１０、調光制御盤２０、可搬型調光操作卓３０、ＤＭＸミキサ４０、ＤＭＸスプリッタ５０、可搬型調光器６０Ａ、６０Ｂを備えている。
【００１８】
調光操作卓１０からは、ＤＭＸ５１２による調光信号が調光制御盤２０及びＤＸＭミキサ４０へ送出される。可搬型調光操作卓３０からは、ＤＭＸ５１２による調光信号がＤＸＭミキサ４０へ送出される。ＤＸＭミキサ４０は、到来するＤＭＸ５１２による調光信号の合成を行い、ＤＭＸ５１２による調光信号をＤＭＸスプリッタ５０へ送出する。
【００１９】
ＤＭＸスプリッタ５０は、到来するＤＭＸ５１２による調光信号を分岐（ここでは、３分岐）させて調光制御盤２０と可搬型調光器６０Ａ、６０Ｂへ送出する。
【００２０】
調光制御盤２０には、照明負荷Ｌ−１〜Ｌ−ｎが接続され、可搬型調光器６０Ａには、照明負荷Ｌ１〜Ｌ３（個数は一例）が接続され、可搬型調光器６０Ｂには、照明負荷Ｌ４〜Ｌ６（個数は一例）が接続されている。照明負荷Ｌ−１〜Ｌ−ｎ、Ｌ１〜Ｌ６に含まれるランプ等の機器の数は一または複数である。
【００２１】
調光操作卓１０の構成例を図２に示す。調光操作卓１０は、装置を統括制御するコンピュータにより構成される制御部１１、操作部１２、表示部１３、メモリ部１４、ＤＭＸ出力部１５を備えている。
【００２２】
操作部１２には、照明の調光制御を行うフェーダと称される操作キーｋ、ｋ、・・・やその他の照明制御のための各種キーが備えられていると共に、調光信号を出力するタイミングに生じさせる遅れを示すディレイ情報を設定するためのディレイ情報入力部１６が備えられている。表示部１３は、操作キーｋ、ｋ、・・・に対応して照明状態を示すＬＥＤや、仕込みの状態等を示すディスプレイ装置、その他各種の表示器を備えるものである。
【００２３】
メモリ部１４には、照明負荷の調光に必要な各種情報、仕込みに係る情報等が記憶される他、一または複数の照明負荷を単位として調光制御を行う調光制御回路の回路毎における調光制御のディレイ情報を保持するディレイ情報保持部１７が備えられている。ディレイ情報保持部１７に保持されるディレイ情報の一例は図３のようである。
【００２４】
即ち、調光制御回路の識別情報（ＩＤ）毎に、例えば、０．１秒刻みのディレイ情報が対応して記憶される。ここで設定されるディレイ情報は、例えば、識別情報が＃００３の調光制御回路が制御する照明負荷であるランプが大きく、点灯までに他よりも時間を要することに対応している。このため、＃００３以外の調光制御回路に対応してディレイ情報を設定しておくことにより、識別情報が＃００３の調光制御回路が制御する照明負荷であるランプの点灯と他のランプの点灯のタイミングを揃えることを可能にするものである。この例では、＃００３の調光制御回路に対応して０秒のディレイ情報が設定され、＃００３以外の調光制御回路に対応して０．６秒のディレイ情報が設定されている。
【００２５】
ＤＭＸ出力部１５は、制御部１１が調光信号を送る場合にＤＭＸ５１２フォーマットにして調光信号を送信する機能を有している。制御部１１には、ディレイ情報保持部１７に保持されたディレイ情報に基づき調光信号の出力制御を行う出力制御部１８が備えられている。出力制御部１８は、操作キーｋ、ｋ、・・・等の操作により、幾つかの調光制御回路に接続された照明負荷に関する調光制御が指示されたことに応じて、対応する調光信号をＤＭＸ出力部１５へ出力する。勿論、このようなキー操作による情報は、現在行われているものに限らず、仕込み等により記憶されていた情報を再生する場合におけるキー操作による情報を含むものである。この場合に、異なる値のディレイ情報が設定されている複数の調光制御回路に接続された照明負荷に関する調光制御に係るキー操作（一斉キー操作）を検出すると、それぞれのディレイ情報に応じたディレイを持たせてＤＭＸ出力部１５へ調光信号の出力を行う。
【００２６】
例えば図３のようにディレイ情報保持部１７にディレイ情報が保持されている場合において、＃００１から＃００４までの調光制御回路に対応する照明負荷に関する調光制御に係るキー操作を検出すると（これ以外のキー操作は行われてないものとする）、＃００３とそれ以外（＃００１、＃００２、＃００４）の調光制御回路に異なる値のディレイ情報が設定されているので、次のようにディレイ情報に応じてディレイを持たせて調光信号の出力を行う。
【００２７】
図３によれば、ディレイ情報の差は０．６秒であるから、まず、ディレイ情報として０が設定されている＃００３の調光制御回路を指定してキー操作に応じた調光レベルをＤＭＸ出力部１５へ出力する。ＤＭＸ出力部１５は、＃００３の調光制御回路に対応するＤＭＸ５１２のチャネルに対して上記で出力された調光レベルをセットしＤＭＸ５１２の調光信号を送信する。この送信から０．６秒後に、＃００３以外（＃００１、＃００２、＃００４）の調光制御回路を指定してキー操作に応じた調光レベルをＤＭＸ出力部１５へ出力する。ＤＭＸ出力部１５は、＃００１、＃００２、＃００４の調光制御回路に対応するＤＭＸ５１２のチャネルに対して上記で出力された調光レベルをセットしＤＭＸ５１２の調光信号を送信する。ただし、ＤＭＸ５１２では、１フレームの送信に２２．６７ｍｓ（ｍａｘ）の時間を要するので、正確に０．６秒後に送信する訳ではなく、０．６秒経過後の最初の１フレームにおいて上記送信を行う。これにより、調光制御回路に接続された照明負荷の点灯時間のずれを吸収して適切な照明制御を行うことができる。
【００２８】
なお、調光制御回路に対応するディレイ情報として、例えば０と０．３と０．６が設定されていて、これら調光制御回路に対応する調光のキー操作が同時に行われた場合には、キー操作を受けた後に０が設定されている調光制御回路を指定してキー操作に応じた調光レベルをＤＭＸ出力部１５へ出力する。次に、０．３秒経過後に０．３が設定されている調光制御回路を指定してキー操作に応じた調光レベルをＤＭＸ出力部１５へ出力する。更に、その０．３秒経過後に０．６が設定されている調光制御回路を指定してキー操作に応じた調光レベルをＤＭＸ出力部１５へ出力する。
【００２９】
また、調光制御回路に対応するディレイ情報として、例えば０と０．３と０．６が設定されていて、０．３と０．６に対応する調光制御回路に対する調光のキー操作が同時に行われた場合には、操作を受けた後に０．３が設定されている調光制御回路を指定してキー操作に応じた調光レベルをＤＭＸ出力部１５へ出力する。その０．３秒経過後に０．６が設定されている調光制御回路を指定してキー操作に応じた調光レベルをＤＭＸ出力部１５へ出力する。このように、異なる値のディレイ情報が設定されている複数の調光制御回路に接続された照明負荷に関する調光制御に係るキー操作を受けたときには、ディレイ情報の差に応じて順次に送信を行う。
【００３０】
調光制御盤２０の構成を図４に示す。調光制御盤２０は、装置の制御を行う制御部２１にＤＭＸ受信部２２Ａ、２２Ｂ、調光制御回路２３−１〜２３−ｎ、ＰＣインタフェース２４を備えた構成である。ＤＭＸ受信部２２Ａは調光操作卓１０からＤＭＸ５１２の調光信号を受け取り、ＤＭＸ受信部２２ＢはＤＭＸスプリッタ５０からＤＭＸ５１２の調光信号を受け取り、それぞれ該当するチャネルにセットされた調光レベルを制御部２１へ送るものである。なお、ＤＭＸ受信部２２Ａは、調光制御回路２３−１〜２３−ｉに対する調光信号を受け取り、ＤＭＸ受信部２２Ｂは、調光制御回路２３−（ｉ＋１）〜２３−ｎに対する調光信号を受け取るように、区分されている。
【００３１】
調光制御回路２３−１〜２３−ｎはそれぞれ、照明負荷Ｌ−１〜Ｌ−ｎに接続され、制御部２１の制御により照明負荷Ｌ−１〜Ｌ−ｎの調光制御を行うものである。制御部２１はコンピュータにより構成され、制御部２１には、ディレイ情報保持部２５、出力制御部２６が備えられている。ＰＣインタフェース２４にはパーソナルコンピュータが接続され、このパーソナルコンピュータからディレイ情報を入力してディレイ情報保持部２５に記憶することが可能である。即ち、パーソナルコンピュータは、ディレイ情報保持部２５に保持させるディレイ情報を入力するためのディレイ情報入力部を構成する。
【００３２】
ディレイ情報保持部２５は、調光制御回路毎における調光制御のディレイ情報を保持するものである。出力制御部２６は、ディレイ情報保持部２５に保持されたディレイ情報に基づき出力制御を行うものである。ディレイ情報保持部２５に保持されるディレイ情報の一例は図５に示すようであり、既に説明した図３と同様に調光制御回路の識別情報（ＩＤ）毎に、例えば、０．１秒刻みのディレイ情報が対応して記憶されるディレイ情報保持部２５が設けられている。
【００３３】
図５のディレイ情報保持部２５には、図３において説明した＃００３の調光制御回路が制御する照明負荷であるランプが大きく点灯までに時間を要するという理由により、＃００３の調光制御回路に対応して０秒のディレイ情報が設定され、＃００３以外の調光制御回路に対応して０．６秒のディレイ情報が設定されている。
【００３４】
出力制御部２６は調光制御回路２３−１〜２３−ｎに対応する調光レベルを受けて前回からの調光レベルの変更を検出し、調光レベルが変更されている場合には、照明負荷Ｌ−１〜Ｌ−ｎが接続された調光制御回路２３−１〜２３−ｎの所要調光制御回路へ制御信号を出力する。この場合に、異なる値のディレイ情報が設定されている複数の調光制御回路に対する調光レベルの変更（一斉変更）を検出して制御信号を出力するときには、ディレイ情報に応じてディレイを持たせて出力する。
【００３５】
例えば図５のようにディレイ情報保持部２５にディレイ情報が保持されている場合において、＃００１から＃００４までの調光制御回路に対応する照明負荷に関する調光レベルの変更を同時に行う場合（これ以外の調光制御回路において変更は行われないものとする）には、＃００３とそれ以外（＃００１、＃００２、＃００４）の調光制御回路に異なる値のディレイ情報が設定されているので、次のようにディレイ情報に応じてディレイを持たせて制御信号を出力する。
【００３６】
ディレイ情報の差は０．６秒であるから、ディレイ情報に０が設定されている調光制御回路（＃００３）に調光レベルに応じた制御信号を出力する。この送信から０．６秒後に、ディレイ情報に０．６が設定されている調光制御回路（＃００１、＃００２、＃００４）に調光レベルに応じた制御信号を出力する。これにより、制御信号を受けた調光制御回路では、調光レベルに応じた電力供給を照明負荷に行うので、照明負荷の点灯時間のずれを吸収して適切な照明制御を行うことができる。
【００３７】
なお、調光制御回路に対応してディレイ情報として、例えば０と０．３と０．６が設定されており、これらの調光制御回路に対する調光レベルの変更（一斉変更）を検出して制御信号を出力するときには、まず、ディレイ情報に０が設定されている調光制御回路に対し調光レベルに応じた制御信号を出力する。これから０．３秒後に、ディレイ情報に０．３が設定されている調光制御回路に対し調光レベルに応じた制御信号を出力する。これから更に０．３秒後に、ディレイ情報に０．６が設定されている調光制御回路に対し調光レベルに応じた制御信号を出力する。
【００３８】
また、調光制御回路に対応してディレイ情報として、例えば０と０．３と０．６が設定されていて、０．３と０．６に対する調光レベルの変更（一斉変更）を検出して制御信号を出力するときには、まず、ディレイ情報に０．３が設定されている調光制御回路に対し調光レベルに応じた制御信号を出力する。これから０．３秒後に、ディレイ情報に０．６が設定されている調光制御回路に対し調光レベルに応じた制御信号を出力する。このように、異なる値のディレイ情報が設定されている複数の調光制御回路に対する調光レベルの変更（一斉変更）を検出して制御信号を出力するときには、ディレイ情報の差に順次に応じて送信を行う。
【００３９】
図６に、可搬型調光操作卓３０の構成図を示す。可搬型調光操作卓３０は、装置を統括制御するコンピュータにより構成される制御部３１、操作部３２、表示部３３、メモリ部３４、ＤＭＸ送信部３５を備えている。
【００４０】
操作部３２には、照明の調光制御を行うフェーダやその他の照明制御のための各種キーが備えられている。表示部３３は、操作キーに対応して照明状態を示すＬＥＤやその他各種の表示器を備えるものである。メモリ部１４には、照明負荷の調光に必要な各種情報が記憶される。ＤＭＸ出力部３５は、制御部３１が調光信号を送る場合にＤＭＸ５１２フォーマットにして調光信号を送信する機能を有している。可搬型調光操作卓３０においては、操作部３２におけるキー操作に応じて、制御部３１がＤＭＸ出力部３５からＤＭＸ５１２フォーマットの調光信号を送信する。
【００４１】
図７に、ＤＭＸミキサ４０の構成図を示す。ＤＭＸミキサ４０は、ＤＭＸ受信部４２Ａ、４２Ｂと、制御部４１と、ＤＭＸ送信部４３と、ＰＣインタフェース４４を備える。ＤＭＸ受信部４２Ａ、４２Ｂは、ＤＭＸ５１２の調光信号を受信し各チャネル毎の情報として制御部４１に送る。制御部４１は、ＤＭＸ受信部４２Ａと、ＤＭＸ受信部４２Ｂから送られた各チャネル毎の情報について、調光レベルの高いものを採用して各チャネルの情報としてＤＭＸ送信部４３へ与える。ＤＭＸ送信部４３は、与えられる情報を対応のチャネルにセットしＤＭＸ５１２の調光信号として送信する。
【００４２】
制御部４１には、ディレイ情報保持部４５、出力制御部４６が備えられている。ＰＣインタフェース４４には、パーソナルコンピュータが接続され、ディレイ情報を入力してディレイ情報保持部４５に記憶することが可能である。即ち、パーソナルコンピュータは、ディレイ情報保持部４５に保持させるディレイ情報を入力するためのディレイ情報入力部を構成する。
【００４３】
ディレイ情報保持部４５は、図８に示すようにＤＭＸ受信部４２Ａと、ＤＭＸ受信部４２Ｂにおいて受信した情報に対して合成する処理の際に与えるディレイ情報がＤＭＸ受信部４２ＡおよびＤＭＸ受信部４２Ｂの識別情報（＃４２Ａ、＃４２Ｂ）に対応して記憶される。図１の調光操作卓１０と可搬型調光操作卓３０では可搬型調光操作卓３０が出力処理から実際に出力が行われるまで０．８秒の遅延を有するために、図８では例えばＤＭＸ受信部４２Ａに対応してディレイ情報０．８秒が設定され、ＤＭＸ受信部４２Ｂに対応してディレイ情報０秒が設定されている。
【００４４】
出力制御部４６は、ディレイ情報保持部４５に保持されたディレイ情報に基づき合成処理を行うものである。従って、制御部４１が、ＤＭＸ受信部４２Ａと、ＤＭＸ受信部４２Ｂから送られた各チャネル毎の情報について、調光レベルの高いものを採用して各チャネルの情報としてＤＭＸ送信部４３へ与える際に、出力制御部４６が次のように機能する。出力制御部４６は、ＤＭＸ受信部４２Ａから送られた各チャネル毎の情報について、合成処理を行う前にディレイ情報の０．８秒だけ保持して合成処理を行い、ＤＭＸ受信部４２Ｂから送られた各チャネル毎の情報について、ディレイ情報の０秒に相当して直ちに合成処理を行う。
【００４５】
この結果、ＤＭＸ受信部４２Ａについては０．８秒前に送られた各チャネル毎の情報について、ＤＭＸ受信部４２Ｂについては現に送られた各チャネル毎の情報について、調光レベルの高いものを採用する処理が行われ、各チャネルの情報が作成されてＤＭＸ送信部４３へ与えられることになる。これにより、調光信号が合成される場合に調光操作装置である調光操作卓１０と可搬型調光操作卓３０の特性から生じるディレイによる調光制御タイミングのずれを吸収して精度の高い照明制御を行うことが可能となる。なお、ＤＭＸミキサ４０では、２入力としたが３入力以上であっても良く、３入力以上の場合にも同様にディレイ情報に応じた遅延の後に合成が行われる。
【００４６】
図９に、可搬型調光器６０Ａ（６０Ｂ）の構成を図９に示す。可搬型調光器６０Ａ（６０Ｂ）は、装置の制御を行う制御部６１にＤＭＸ受信部６２、調光制御回路６３−１〜６３−３を備えた構成である。ＤＭＸ受信部６２はＤＭＸスプリッタ５０からＤＭＸ５１２の調光信号を受け取り、それぞれ該当するチャネルにセットされた調光レベルを制御部６１へ送るものである。
【００４７】
調光制御回路６３−１〜６３−３はそれぞれ、照明負荷Ｌ１〜Ｌ３（Ｌ４〜Ｌ６）に接続され、制御部６１の制御により照明負荷Ｌ１〜Ｌ３（Ｌ４〜Ｌ６）の調光制御を行うものである。制御部２１はコンピュータにより構成され、制御部２１には、ＤＭＸ受信部６２から送られる調光レベルの情報に基づき該当するチャネルに対応する調光制御回路６３−１〜６３−３へ信号を与えて照明負荷Ｌ１〜Ｌ３（Ｌ４〜Ｌ６）の電力制御による調光がなされるように制御する。スプリッタ５０の出力に係るＤＭＸ５１２の調光信号は、ＤＭＸミキサ４０によりディレイ情報を用いた整合処理が行われており、可搬型調光器６０Ａ（６０Ｂ）では、調光操作卓１０と可搬型調光操作卓３０の特性から生じるディレイによる調光制御タイミングのずれを吸収して精度の高い照明制御を行うことが可能である。
【００４８】
既に説明したように、調光制御盤２０では、出力制御部２６がディレイ情報保持部２５に保持された図５に示すディレイ情報を用いて処理を行うことを説明した。調光制御盤２０は、図４に示す通りＤＭＸ受信部２２Ａ、２２Ｂを有し、ＤＭＸ受信部２２Ａは調光操作卓１０からＤＭＸ５１２の調光信号を受け取り、ＤＭＸ受信部２２ＢはＤＭＸスプリッタ５０からＤＭＸ５１２の調光信号を受け取っている。
【００４９】
スプリッタ５０から到来するＤＭＸ５１２の調光信号は、ＤＭＸミキサ４０によるディレイ情報を用いた整合処理が行われており、調光操作卓１０から到来するＤＭＸ５１２の調光信号よりディレイを有する。これに対応し、図１０に示すディレイ情報保持部２５Ｂを制御部２１が備えており、ディレイ情報保持部２５Ｂに保持された情報を用いて、図４の出力制御部２６が処理を行う。
【００５０】
ディレイ情報保持部２５Ｂには、ＤＭＸ受信部２２ＡとＤＭＸ受信部２２Ｂにおいて受信した情報に応じた処理の際に与えるディレイ情報がＤＭＸ受信部２２ＡとＤＭＸ受信部２２Ｂの識別情報（＃２２Ａ、＃２２Ｂ）に対応して記憶されている。ＤＭＸ受信部２２Ａには調光操作卓１０から直接に調光信号が到来するためＤＭＸ受信部２２Ａに対応してディレイ情報０．９秒が設定され、ＤＭＸ受信部２２ＢにはＤＭＸミキサ４０から調光信号が到来するために対応してディレイ情報０秒が設定されている。
【００５１】
出力制御部２６は調光制御回路２３−１〜２３−ｎに対応する調光レベルを受けて調光レベルの変更を検出し、調光レベルを変更する場合には、照明負荷Ｌ−１〜Ｌ−ｎが接続された調光制御回路２３−１〜２３−ｎの所要調光制御回路へ制御信号を出力する。この場合に、調光信号がＤＭＸ受信部２２ＡとＤＭＸ受信部２２Ｂとのいずれから到来したのかに基づき、ディレイ情報に応じてディレイを持たせて制御信号を出力する。
【００５２】
即ち、調光信号がＤＭＸ受信部２２Ａから到来した場合には、ディレイ情報０．９秒に応じて０．９秒のディレイを持たせて所要の照明負荷（Ｌ−１〜Ｌ−ｎ中の所要のもの）が接続された調光制御回路（２３−１〜２３−ｎ中の所要のもの）へ制御信号を出力する。また、調光信号がＤＭＸ受信部２２Ｂから到来した場合には、ディレイ情報０秒に応じてディレイを持たせることなく所要の照明負荷（Ｌ−１〜Ｌ−ｎ中の所要のもの）が接続された調光制御回路（２３−１〜２３−ｎ中の所要のもの）へ制御信号を出力する。
【００５３】
この処理により、調光制御盤２０に到来する調光信号の経路が異なることにより、経路毎に異なる遅延を有していても、調光制御タイミングのずれをなくして精度の高い照明制御を行うことが可能となる。なお、調光制御盤２０では、２入力としたが３入力以上であっても良く、３入力以上の場合にも同様に経路の遅延に応じた出力処理が行われる。
【図面の簡単な説明】
【００５４】
【図１】本発明の調光制御システムの一実施例を示すブロック図。
【図２】本発明の調光制御システムに用いられている調光操作卓の一実施例を示すブロック図。
【図３】本発明の調光制御システムに用いられている調光操作卓のディレイ情報保持部に保持された情報の一例を示す図。
【図４】本発明の調光制御システムに用いられている調光制御盤の一実施例を示すブロック図。
【図５】本発明の調光制御システムに用いられている調光制御盤のディレイ情報保持部に保持された情報の一例を示す図。
【図６】本発明の調光制御システムに用いられている可搬型調光操作卓の一実施例を示すブロック図。
【図７】本発明の調光制御システムに用いられているＤＭＸミキサの一実施例を示すブロック図。
【図８】本発明の調光制御システムに用いられているＤＭＸミキサのディレイ情報保持部に保持された情報の一例を示す図。
【図９】本発明の調光制御システムに用いられている可搬型調光器の一実施例を示すブロック図。
【図１０】本発明の調光制御システムに用いられている調光制御盤のディレイ情報保持部に保持された情報の一例を示す図。
【符号の説明】
【００５５】
１０  調光操作卓
１１、２１、３１、４１、６１  制御部
１２、３２  操作部
１３、３３  表示部
１４、３４  メモリ部
１５、３５  ＤＭＸ出力部
１６  ディレイ情報入力部
１７、２５、２５Ｂ、４５  ディレイ情報保持部
１８、２６、４６  出力制御部
２０  調光制御盤
２２Ａ、２２Ｂ、４２Ａ、４２Ｂ、６２  ＤＭＸ受信部
２３−１〜２３−ｎ  調光制御回路
２４  ＰＣインタフェース
３０  可搬型調光操作卓
４０  ＤＭＸミキサ
４３  ＤＭＸ送信部
５０  スプリッタ
６０Ａ、６０Ｂ  可搬型調光器
６３−１〜６３−３  調光制御回路
Ｌ−１〜Ｌ−ｎ、Ｌ１−Ｌ３、Ｌ４-Ｌ６  照明負荷
【図１】
0005125313.tif 000002
【図２】
0005125313.tif 000003
【図３】
0005125313.tif 000004
【図４】
0005125313.tif 000005
【図５】
0005125313.tif 000006
【図６】
0005125313.tif 000007
【図７】
0005125313.tif 000008
【図８】
0005125313.tif 000009
【図９】
0005125313.tif 000010
【図１０】
0005125313.tif 000011